(57)【要約】【課題】簡易な作業で対象を固定することを課題とする。【解決手段】対象８０を構造物９０に固定するための固定装置１に、構造物９０に設けられた縁部３２を挟んで互いに反対側に配置される第一固定部１１および第二固定部１２と、固定の対象８０に接触する第一接触部１５と、を有する第一部材１０と、第二固定部１２と構造物９０との間に配置されるカム部２１であって、長径部分２９で第二固定部１２と構造物９０とを離間させることにより第一固定部１１を縁部３２に対して付勢し、第一部材１０を構造物９０に対して固定状態とするカム部２１と、固定状態において、第一接触部１５と協働して固定の対象８０を挟持するように固定の対象８０に接触する第二接触部２３と、を有する第二部材２０と、を備えた。【選択図】図２
2013019508.tif 000002
【特許請求の範囲】
【請求項１】
対象を構造物に固定するための固定装置であって、
前記構造物に設けられた縁部を挟んで互いに反対側に配置される第一固定部および第二固定部と、前記固定の対象に接触する第一接触部と、を有する第一の部材と、
前記第二固定部と前記構造物との間に配置されるカム部であって、長径部分で該第二固定部と該構造物とを離間させることにより前記第一固定部を前記縁部に対して付勢し、前記第一の部材を前記構造物に対して固定状態とするカム部と、前記固定状態において、前記第一接触部と協働して前記固定の対象を挟持するように該固定の対象に接触する第二接触部と、を有する第二の部材と、
を備える固定装置。
【請求項２】
前記カム部は、前記長径部分に略等しい径の長さを有することで、該カム部が前記固定状態に向けて回動される途中で所定以上の力を要求する乗り越え部を、該カム部の短径部分と前記長径部分との間に有する、
請求項１に記載の固定装置。
【請求項３】
前記第二固定部と前記構造物との間に前記カム部が配置された状態でユーザによって操作されることで、前記カム部を回動させるための操作部を更に備える、
請求項１または２に記載の固定装置。
【請求項４】
前記第二の部材は、前記操作部が着脱可能に接続される接続部を更に有する、
請求項３に記載の固定装置。
【請求項５】
前記第一の部材および前記第二の部材の少なくとも一方は、前記固定状態における前記第一固定部の前記縁部に対する付勢の強さを調整可能な位置に設けられた弾性部材を有する、
請求項１から４の何れか一項に記載の固定装置。
【請求項６】
前記構造物に固定されることで該構造物に前記縁部を設ける第三の部材を更に備え、
前記第三の部材は、前記第一の部材または前記第二の部材に接触する位置に設けられた弾性部材を有する、
請求項１から５の何れか一項に記載の固定装置。
【請求項７】
前記第一の部材は、前記カム部を前記構造物と前記第二固定部との間に保持するカム受け部と、前記対象が前記カム受け部と前記第一接触部との間に入り込むことを規制する規制部と、を更に有する、
請求項１から６の何れか一項に記載の固定装置。
【請求項８】
前記第一の部材は、前記カム部を前記構造物と前記第二固定部との間に保持するカム受け部と、前記対象が前記カム受け部と前記第一接触部との間に入り込むことを許容する空間と、を更に有する、
請求項１から６の何れか一項に記載の固定装置。
【請求項９】
前記第一の部材は、前記カム部を前記構造物と前記第二固定部との間に保持するカム受け部であって、前記対象が前記第一接触部と前記第二接触部とによって挟持された状態で、前記カム部を前記第一接触部と前記第二接触部との間に保持するカム受け部を更に有する、
請求項１から６の何れか一項に記載の固定装置。
【請求項１０】
前記カム部は、該カム部の前記長径部分の長さに融通性を持たせるための空隙部を更に有する、
請求項１から９の何れか一項に記載の固定装置。
【発明の詳細な説明】
【技術分野】
【０００１】
本発明は、対象を構造物に固定するための固定装置に関する。
【背景技術】
【０００２】
従来、つば部材に回動可能に軸支されたカムを回動させてカムと挟片との間にパネルを挟むことで、パネルを挟持する技術がある（特許文献１を参照）。また、固定したい部材を、カムを用いて挟む技術がいくつか提案されている（特許文献２から６を参照）。
【先行技術文献】
【特許文献】
【０００３】
【特許文献１】特開昭４７−０１４５５６号公報
【特許文献２】特許第４３７８２２８号公報
【特許文献３】特開２００７−３１９９７５号公報
【特許文献４】特許第２９８９５１７号公報
【特許文献５】特許第３１０８０６５号公報
【特許文献６】実公平０８−００３６８５号公報
【発明の概要】
【発明が解決しようとする課題】
【０００４】
従来、対象を構造物に固定する方法として、ボルト等の固定装置が用いられている。しかし、このような固定装置を用いた作業は、煩雑で時間がかかるものであった。例えば、机等の天板を固定する場合には、天板の下側からボルト等の固定装置を用いて天板を固定するため、作業の際に天板の下に潜り込むなどする必要があり、作業性が悪い。また、その他の固定対象を固定する場合にも、ボルト等の固定装置は、天井近くの梁（ビーム）や柱の高い位置である等、作業性の悪い位置に設けられることが多い。このため、作業者は、構造物の対象への固定に際して、作業性の悪い状況で煩雑且つ時間のかかる作業をする必要があった。
【０００５】
本発明は、上記した問題に鑑み、簡易な作業で対象を固定することを課題とする。
【課題を解決するための手段】
【０００６】
本発明は、以下の構成を備えることで、上記した課題を解決することとした。即ち、本発明は、対象を構造物に固定するための固定装置であって、前記構造物に設けられた縁部を挟んで互いに反対側に配置される第一固定部および第二固定部と、前記固定の対象に接触する第一接触部と、を有する第一の部材と、前記第二固定部と前記構造物との間に配置されるカム部であって、長径部分で該第二固定部と該構造物とを離間させることにより前記第一固定部を前記縁部に対して付勢し、前記第一の部材を前記構造物に対して固定状態とするカム部と、前記固定状態において、前記第一接触部と協働して前記固定の対象を挟持するように該固定の対象に接触する第二接触部と、を有する第二の部材と、を備える固定装置である。
【０００７】
ここで、固定装置による固定の対象は、第一接触部および第二接触部によって挟持可能なものであればよい。また、第一接触部および第二接触部の形状も、固定の対象の形状に合わせた形状とすることが出来る。また、固定装置を用いて対象が固定される構造物は、固定に用いる縁部を有するものであればよく、また、縁部を有さない構造物についても、第三の部材を用いて縁部を設けることで、固定装置を用いて対象を固定可能な構造物とすることが出来る。
【０００８】
本発明に係る固定装置は、構造物の縁部を挟んで互いに反対側に位置するように第一固定部および第二固定部を設け、第二固定部と構造物との間をカム部によって離間させることで、第一固定部を縁部に対して付勢して固定装置の構造物への固定を行う。また、固定装置が構造物に対して固定された状態となると同時に、第一接触部および第二接触部によって固定対象が挟持される。
【０００９】
本発明に係る固定装置によれば、カムの操作による構造物への固定装置の固定と、第一接触部および第二接触部による固定対象の挟持とが並行して行われるため、カム部を第二固定部と構造物との間に配置して回動させるだけの簡易な作業で、対象を構造物に固定することが可能となる。また、カムを軸支する必要もないため、構造が複雑でない固定装置を提供することが出来る。
【００１０】
また、本発明において、前記カム部は、前記長径部分に略等しい径の長さを有することで、該カム部が前記固定状態に向けて回動される途中で所定以上の力を要求する乗り越え部を、該カム部の短径部分と前記長径部分との間に有してもよい。
【００１１】
長径部分に略等しい径の長さを有する乗り越え部を有することで、カム部の回動の途中において作業者に抵抗感およびクリック感を与え、感覚的に操作の経過および終了を作業者に伝えることが出来る。乗り越え部の径を長くするほど、作業者に大きな抵抗感を与えることが出来る。なお、乗り越え部の径は、第二固定部と構造物とを離間させることが可能な長さであれば、作業者に抵抗感およびクリック感を与えることが出来るため、カム部の長径部分よりも短い径であってもよい。
【００１２】
また、本発明に係る固定装置は、前記第二固定部と前記構造物との間に前記カム部が配置された状態でユーザによって操作されることで、前記カム部を回動させるための操作部を更に備えてもよい。
【００１３】
このような操作部を備えることで、作業者に簡便な操作を提供することが出来る。また、操作部は、第二の部材と一体に設けられてもよい。この場合、第二接触部は、カム部と操作部との間に設けられてよい。
【００１４】
また、本発明において、前記第二の部材は、前記操作部が着脱可能に接続される接続部を更に有してもよい。
【００１５】
操作部を着脱可能とすることで、固定装置による対象の構造物への固定後に、操作部を外しておき、意図しない固定装置の除去が行われてしまうことを防止することが出来る。
【００１６】
また、本発明において、前記第一の部材および前記第二の部材の少なくとも一方は、前記固定状態における前記第一固定部の前記縁部に対する付勢の強さを調整可能な位置に設けられた弾性部材を有してもよい。
【００１７】
また、本発明に係る固定装置は、前記構造物に固定されることで該構造物に前記縁部を設ける第三の部材を更に備え、前記第三の部材は、前記第一の部材または前記第二の部材に接触する位置に設けられた弾性部材を有してもよい。
【００１８】
例えば、固定装置を製造した場合、精度公差内の寸法差が発生することが一般である。このため、固定状態における付勢の強さを調整可能な位置に弾性部材を設けることで、前記第一固定部の前記縁部に対する付勢の強さを調整することが出来る。
【００１９】
また、本発明において、前記第一の部材は、前記カム部を前記構造物と前記第二固定部との間に保持するカム受け部と、前記対象が前記カム受け部と前記第一接触部との間に入り込むことを規制する規制部と、を更に有してもよい。
【００２０】
このような規制部を設けることで、固定対象を設置しようとした場合に、カム受け部が邪魔になることを防止することが出来る。例えば、固定の対象が板状部材であり、第一接触部に載置されるような場合に、カム受け部が板状部材を載置する際の邪魔にならないようにすることが出来る。
【００２１】
また、本発明において、前記第一の部材は、前記カム部を前記構造物と前記第二固定部との間に保持するカム受け部と、前記対象が前記カム受け部と前記第一接触部との間に入り込むことを許容する空間と、を更に有してもよい。
【００２２】
このような空間に固定の対象が入り込むことで、固定対象が一旦固定された後には、カム受け部によって固定対象の移動が制限されることとなり、意図しない固定対象の除去を制限することが出来る。例えば、固定の対象が板状部材であり、第一接触部に載置されるような場合に、カム受け部が板状部材を上に持ち上げる際に邪魔となり、板状部材の除去が制限される。
【００２３】
また、本発明において、前記第一の部材は、前記カム部を前記構造物と前記第二固定部との間に保持するカム受け部であって、前記対象が前記第一接触部と前記第二接触部とによって挟持された状態で、前記カム部を前記第一接触部と前記第二接触部との間に保持するカム受け部を更に有してもよい。カム部が第一接触部と第二接触部との間に保持されることで、固定対象が構造物に固定された状態において、カム受け部やカム部が外側に突出することなく、外観をシンプルに保つことが出来る。
【００２４】
また、本発明において、前記カム部は、該カム部の前記長径部分の長さに融通性を持たせるための空隙部を更に有してもよい。このような空隙部を有することで、カム部の長径方向における弾性が高まり、十分な強度で固定対象を構造物に固定することが出来る。
【００２５】
更に、本発明は、固定装置を用いて対象を構造物に固定する方法の発明としても把握することが可能である。
【発明の効果】
【００２６】
本発明によれば、簡易な作業で対象を固定することが可能となる。
【図面の簡単な説明】
【００２７】
【図１】実施形態に係る固定装置の構成を示す斜視図である。
【図２】実施形態に係る固定装置の構成を示す側面図である。
【図３】実施形態に係る第三部材を示す側面図である。
【図４】実施形態に係る第一部材を示す側面図である。
【図５】実施形態に係る第二部材を示す側面図である。
【図６】実施形態において、第一部材がパネルに仮設置される様子を示す側面図である。
【図７】実施形態において、第二部材と第一部材とを用いてパネルに天板が固定される様子を示す側面図である。
【図８】実施形態に係る、バリエーションの固定装置の構成を示す側面図である。
【図９】実施形態に係る、バリエーションの固定装置の構成を示す側面図である。
【図１０】実施形態に係る、バリエーションの固定装置の構成を示す側面図である。
【図１１】実施形態に係る、バリエーションの固定装置の構成を示す側面図である。
【図１２】実施形態に係る、バリエーションの固定装置の構成を示す側面図である。
【図１３】実施形態に係る固定装置において用いられる、着脱可能な操作部の構成を示す図である。
【図１４】実施形態に係る、バリエーションの固定装置の構成を示す側面図である。
【図１５】実施形態に係る、バリエーションの固定装置の構成を示す側面図である。
【発明を実施するための形態】
【００２８】
以下、本発明に係る固定装置の実施の形態について、図面を用いて説明する。なお、以下に説明する実施形態では、本発明に係る固定装置を用いて、机の天板等の板状部材が固定の対象として、構造物であるパネルに固定される例について説明しているが、固定装置による固定の対象、および固定先の構造物は、本実施形態において例示したものに限定されない。固定先の構造物は、例えば、梁（ビーム）、柱、壁、天井等であってもよい。また、固定対象は、例えば、間仕切り、カーテン、ブラインド等であってもよいし、電子機器であってもよい。例えば、梁や柱に設けられた縁部（リムやレール）にプロジェクタやディスプレイ等の電子機器を設置する場合に、本発明に係る固定装置を用いることも可能である。
【００２９】
＜固定装置の構成＞
図１は、本実施形態に係る固定装置１の構成を示す斜視図である。また、図２は、本実施形態に係る固定装置１の構成を示す側面図である。本実施形態に係る固定装置１は、第一部材１０および第二部材２０を備える。また、第三部材３０はパネル９０に設けられた溝９１に固定されることで、パネル９０に縁部３２を設ける。但し、本実施形態に係る固定装置１を用いた天板８０の固定に際しては、予め縁部３２が設けられたパネル９０が用いられてもよい。この場合、第三部材３０は用いられない。第一部材１０は、パネル９０に設けられた縁部３２に係止されて、天板８０を載置するための部材である。第二部材２０は、カム部２１によって第一部材１０を縁部３２（パネル９０）に固定し、第一部材１０と協働して天板８０を挟持する。
【００３０】
次に、図３から図５を用いて、固定装置１の第三部材３０、第一部材１０および第二部材２０の詳細な構造を説明する。
【００３１】
図３は、本実施形態に係る第三部材３０を示す側面図である。第三部材３０は、挿入部３１と、縁部３２と、被付勢面３３と、を有する。挿入部３１は、パネル９０の溝９１に挿入されて第三部材３０をパネル９０に対して固定する部分であり、溝９１からの脱落を防止するための手段を有している。本実施形態に係る挿入部３１は、図３に示されている通り、脱落防止手段として、その側部（溝９１の内側面に接する部分）に、挿入部３１の先端側から基端側に向かって幅が広がるテーパー状となった複数の断面三角形状の歯状部３４を有する。このような歯状部３４が設けられていることで、溝９１へ挿入部３１を挿入する際には少ない抵抗で挿入可能であり、溝９１から挿入部３１を抜こうとした際には抵抗が大きく抜出を許可しない挿入部３１を提供することが出来る。但し、溝９１からの脱落を防止するための手段は、本実施形態に示された歯状部３４に限定されるものではない。脱落の防止は、挿入部３１の側部に設けられた形状によって提供されてもよいし、接着剤や螺子、釘等のその他の構成によって提供されてもよい。また、挿入部３１の基端側には、挿入の深さを位置決めすることが出来る鍔部３６が設けられている。
【００３２】
本実施形態において、縁部３２は、向かい合った一組のリムまたはレール状の形状を有するが、縁部３２は、パネル９０の表面側からと縁部３２内側の空間３５側とから挟むことが可能な形状を有していればよい。本実施形態に係る固定装置１は、この縁部３２を第一部材１０と第二部材２０とで挟むことで、固定を行う。また、縁部３２の内側には、第一部材１０の第一固定部１１が挿入されるための空間３５が設けられている。被付勢面３
３は、縁部３２の外側に設けられた面であり、固定の際に第二部材２０のカム部２１によって付勢される。即ち、第三部材３０は、溝９１に挿入されることで固定対象（本実施形態では、天板８０）が固定される構造物の一部となり、第一部材１０および第二部材２０を用いて固定対象を固定するための縁部３２を提供する。
【００３３】
図４は、本実施形態に係る第一部材１０を示す側面図である。第一部材１０は、第一固定部１１と、第二固定部１２と、カム受け部１３と、係止部１４と、第一接触部１５と、を有する。本実施形態では、第一固定部１１、第二固定部１２、カム受け部１３、係止部１４および第一接触部１５等の、第一部材１０の各構成は、何れも第一部材１０の幅方向に沿って設けられているが、これらの構成は、断続的に設けられる態様や、一部にのみ設けられる態様で設けられてもよい。
【００３４】
第一固定部１１は、リムまたはレール状の形状を有し、縁部３２の内側の空間３５に挿入され、上側の縁部３２の内側面に係止する（図２を参照）。ここで、係止部１４は、第一固定部１１が縁部３２の内側の空間３５に挿入された状態で、下側の縁部３２の上面に係止する位置に設けられている。
【００３５】
カム受け部１３は、カム部２１を受ける部分であり、カムの外周面部２４に対応する形状を有している。そして、第二固定部１２は、第一固定部１１が縁部３２の内側の空間３５に挿入された状態で、縁部３２を挟んで第一固定部１１の反対側に位置し、カム受け部１３に挿入されたカム部２１によって付勢される。また、第一接触部１５は、固定対象に接触する部分である。本実施形態では、固定対象が天板８０であるため、第一部材１０は全体として側面Ｌ型の形状を有しており、Ｌ型の水平部分に相当する第一接触部１５は、載置された天板８０の裏面に接触する。
【００３６】
図５は、本実施形態に係る第二部材２０を示す側面図である。第二部材２０は、カム部２１と、ブリッジ部２２と、第二接触部２３と、操作部４０と、を有する。本実施形態では、カム部２１、操作部４０および第二接触部２３等の、第二部材２０の各構成は、何れも第二部材２０の幅方向に沿って設けられているが、これらの構成は、断続的に設けられる態様や、一部にのみ設けられる態様で設けられてもよい。
【００３７】
カム部２１は、短径部分２８と長径部分２９とを有する。ここで、短径部分２８は、カム受け部１３にカム部２１を挿入する際にカム受け部１３の入り口を通過可能な径の長さを有しており、長径部分２９は、第二固定部１２と被付勢面３３とを離間させることが可能な径の長さを有している。
【００３８】
また、本実施形態に係るカム部２１は、カムが回動される際に作業者に抵抗感およびクリック感を与えるための乗り越え部２６を有する。乗り越え部２６は、長径部分２９と略同じ長さの径を有している。このような乗り越え部２６が設けられていることで、カム部２１が回動する間に、作業者は、乗り越え部２６を乗り越える際の抵抗感およびクリック感を得ることが出来る。本実施形態では、カム部２１の短径部分２８は、カム部２１の中心からの距離が長径部分２９を構成する外周面部２４よりも短い平面部２５を用いて構成されており、短径部分２８と長径部分２９との境界は、平面部２５と外周面部２４との交線（稜線）である。このため、本実施形態では、この稜線部分である乗り越え部２６の曲率を大きくする（曲率半径を小さくする）ことで、作業者に対して、より明確なクリック感を提供することが出来る。但し、カム部の形状は、例えば楕円形状等、その他の形状であってもよい。なお、抵抗の大きさは、乗り越え部２６の径の長さによって調整できる。
【００３９】
本実施形態では、第一部材１０のカム受け部１３は、固定対象の天板８０よりも上に位置している。このため、本実施形態に係るカム部２１と第二接触部２３とを繋ぐブリッジ
部２２は、カム受け部１３および第二固定部１２の形状に沿って、第二固定部１２を乗り越えて天板８０上面に到達するように湾曲している。
【００４０】
第二接触部２３は、固定対象に接触する部分であり、本実施形態では、固定対象が天板８０であるため、第一接触部１５に載置された天板８０の上面に接触する。また、操作部４０は、固定装置１の設置および除去の際にカム部２１を回動させるために作業者によって操作される部分である。
【００４１】
＜固定装置を用いた固定作業の流れ＞
次に、本実施形態に係る固定装置１を用いた天板８０の固定の手順を説明する。初めに、作業者は、パネル９０に予め設けられた溝９１に第三部材３０を挿入することで、パネル９０に縁部３２を設ける。このような方法によれば、縁部３２が設けられていない所望のパネルに、対象を固定するための縁部３２を設け、本発明に係る構造物とすることが出来る。但し、先述の通り、本実施形態に係る固定装置１を用いた天板８０の固定に際しては、予め縁部３２が設けられたパネルが用いられてもよい。この場合、第三部材３０は用いられない。次に、作業者は、第一部材１０の第一固定部１１を、上側の縁部３２の内側の空間３５に挿入する。
【００４２】
図６は、本実施形態において、第一部材１０が縁部３２を用いてパネル９０に仮設置される様子を示す側面図である。第一固定部１１が縁部３２の内側の空間３５に位置することで、第一固定部１１および第二固定部１２は、縁部３２を挟んで互いに反対側に配置される。第一固定部１１が縁部３２の内側の空間３５に挿入されると、第一部材１０の係止部１４が、下側の縁部３２の上面に係止し、第一固定部１１が、上側の縁部３２の内側に係止し、突き当て部１６が、下側の被付勢面３３に突き当たる。本実施形態では、この状態を仮設置状態と称する。第一部材１０が仮設置された状態では、上方向への力によって係止部１４および第一固定部１１による係止を解く事が出来るが、下方向への力によっては第一部材１０は脱落しない。このため、作業者は、仮設置状態において、第一接触部１５に固定対象である天板８０を載置することが出来る。第一接触部１５に天板８０が載置されると、次に、作業者は、第二部材２０を用いて第一部材１０をパネル９０に固定する。
【００４３】
図７は、本実施形態において、第二部材２０と第一部材１０とを用いてパネル９０に天板８０が固定される様子を示す側面図である。作業者は、第二固定部１２と構造物（本実施形態では、第三部材３０の被付勢面３３）との間に設けられたカム受け部１３に、第二部材２０のカム部２１を挿入する。本実施形態において、カム受け部１３の入口の縁と構造物との間は、カム部２１の長径部分２９より短く、カム部２１の短径部分２８より長い距離となるように設計されている。このため、カム部２１は、カム受け部１３と構造物との間の隙間から挿入可能なように、短径部分２８がカム受け部１３の入口を通過するような姿勢で挿入される。本実施形態において、カム部２１がカム受け部１３に対して着脱（挿抜）される際の第二部材２０の姿勢を、着脱姿勢と称する。
【００４４】
作業者は、カム受け部１３にカム部２１を挿入すると、操作部４０をもってカム部２１を回動させ、第二部材２０を着脱姿勢から固定姿勢に移行させる。この際、着脱姿勢から固定姿勢への移行途中で、乗り越え部２６が被付勢面３３に接触し、作業者は、乗り越え部２６を乗り越える際の抵抗感およびクリック感を得ることが出来る。本実施形態において、固定姿勢とは、カム部２１の長径部分２９が第二固定部１２と被付勢面３３との間を離間させるような、第二部材２０の姿勢である。ここで、第一部材１０および第三部材３０（または構造物）は、第二固定部１２と被付勢面３３との間が、カム部２１の長径部分２９以下の距離となるように設計されている。このため、第二部材２０が固定姿勢となると、カム部２１の長径部分２９によって第二固定部１２と被付勢面３３との間が離間され
、第二固定部１２はパネル９０および縁部３２から遠ざかる方向へ付勢される。
【００４５】
このとき、第一固定部１１は、縁部３２を挟んで第二固定部１２と反対側に位置しているため、結果として第一固定部１１は、縁部３２の内側から縁部３２を付勢する。この付勢によって、第一部材１０は、パネル９０に固定される。本実施形態において、第一部材１０がパネル９０に固定された状態を、固定状態と称する。
【００４６】
また、作業者による操作によってカム部２１が回動され、固定姿勢、固定状態となると、第二接触部２３は、天板８０の上面に接触する。これによって、第一接触部１５と第二接触部２３とで天板８０が挟持され、天板８０は構造物（パネル９０および第三部材３０）に固定される。
【００４７】
本実施形態では、固定の対象が天板８０であるため、第二接触部２３は、固定姿勢において略水平となる。これに対して、着脱姿勢における第二接触部２３は、固定姿勢における第二接触部２３に対して、所定の角度を有する。この角度は、作業者が操作部４０を把持してカム部２１をカム受け部１３に対して着脱し易い角度とすることが好ましい。例えば、着脱姿勢における第二接触部２３が、固定姿勢における第二接触部２３に対して２０度以上（例えば、略３０度）の角度を有することで、作業者は、操作部４０を把持する手を天板８０の上面に邪魔されずに第二部材２０の着脱を行うことが出来るだろう。本実施形態では、カム部２１の短径部分２８および長径部分２９は外周面部２４と平面部２５との組み合わせによって実現されているため、着脱姿勢においては平面部２５が鉛直になるような姿勢とすることで短径部分２８をカム受け部１３の入口に対応させることとなる。このため、本実施形態では、着脱姿勢における第二接触部２３の、固定姿勢における第二接触部２３に対する角度は、カム部２１に対する平面部２５の角度によって決定することが出来る。
【００４８】
なお、先述の通り、固定装置１による固定対象は、天板８０に限定されない。このため、第一接触部１５および第二接触部２３の形状は、固定対象に応じて、適宜最適な形状とすることが好ましい。
【００４９】
＜固定装置のバリエーション＞
以下に、図８から図１３を用いて、本発明に係る固定装置のバリエーションを説明する。なお、図７までを用いて説明した固定装置１と同様の構成については、図中に同一の符号を用いて示し、説明を省略する。
【００５０】
図８は、本実施形態に係る、バリエーションの固定装置１ｂの構成を示す側面図である。図８に示す第一部材１０ｂは、カム受け部１３ｂの一部に、第一部材１０ｂの幅方向に伸びる切り欠き（溝）１７を有し、第二部材２０ｂは、カム部２１ｂの外周面部２４ｂの一部に、第二部材２０ｂの幅方向に伸びる切り欠き（溝）４１を有する。
【００５１】
これらの切り欠き１７、４１は、固定装置１ｂを用いて固定対象が固定され、第二部材２０ｂが固定姿勢となっている状態で合わさって円柱状の空間を現出させるような位置および形状に設けられている。このため、固定装置１ｂによれば、固定対象を固定した状態で現出した円柱状の空間に、対応する形状の円柱部材（ピン）５０を挿入することで、意図しない第二部材２０ｂの取り外しを防止することが出来る。
【００５２】
図９は、本実施形態に係る、バリエーションの固定装置１ｃの構成を示す側面図である。図９に示す固定装置１ｃは、固定状態における第一固定部１１ｃの縁部３２に対する付勢の強さを調整可能な位置に、樹脂フィルム６０が設けられている。例えば、固定装置をアルミニウムの押出成型によって製造した場合、断面形状の精度公差は一般的にプラスマ
イナス０．２ｍｍとなる。このため、固定装置１ｃでは、固定状態における付勢の強さを調整可能な位置に樹脂フィルム６０を設け、カム部２１ｃによる離間距離、付勢の強さを調整することとしている。なお、本実施形態では、付勢の強さを調整するための構成として、樹脂フィルム６０が採用されているが、付勢の強さを調整するための構成としては、紙やゴム等の、その他の弾性を有する部材が用いられてもよいし、その形状も、フィルム状以外の形状、例えば、糸状、粒子状等の形状が採用されてよい。
【００５３】
また、樹脂フィルム６０等が設けられる位置は、固定状態における付勢の強さを調整可能な位置であればよいが、例えば、第三部材３０においては、第一部材１０ｃまたは第二部材２０ｃに接触する位置、即ち、被付勢面３３や縁部３２に設けられてよい。また、第一部材１０ｃにおいては、カム部２１ｃの外周面部２４ｃに設けられてよいし、第二部材２０ｃにおいては、第二固定部１２ｃの背面側に設けられてよい。
【００５４】
また、固定装置１ｃは、固定対象の位置合わせのための位置合わせ手段を有する。本実施形態では、位置合わせ手段として、第一部材１０ｃの第一接触部１５ｃに設けられた凸部１８と、天板８０の裏面の対応する位置に設けられた凹部８１と、が用いられる。但し、第一接触部１５ｃに凹部が設けられ、天板８０の裏面の対応する位置に凸部が設けられてもよい。また、位置合わせのための凹部および凸部は、第二接触部２３ｃと天板８０の上面とに設けられてもよい。このような位置合わせ手段が採用されることで、作業者による位置あわせの手間を軽減し、正確な位置に容易に固定対象を固定することが可能となる。また、このような位置合わせ手段が採用されることで、設置後に固定対象の位置がズレることを防止出来る。
【００５５】
図１０は、本実施形態に係る、バリエーションの固定装置１ｄの構成を示す側面図である。図９までに示された固定装置では、カム受け部が第二接触部よりも外側（即ち、本実施形態では、カム受け部が天板８０よりも上）に位置しており、固定装置は、カム受け部の下に固定対象が入り込むことが可能な空間を有している。このため、天板８０と構造物（パネル９０）との間の隙間を小さくすることが出来る。また、天板８０等の固定対象が一旦設置された後には、カム受け部によって固定対象の移動が制限されることとなり、意図しない固定対象の除去等の制限に有利であるが、設置時には、天板８０等の固定対象を上から設置しようとした場合に、カム受け部が邪魔になる可能性がある。
【００５６】
そこで、図１０に示す固定装置１ｄでは、第一部材１０ｄが、固定対象がカム受け部１３ｄの下に入り込むことを規制する規制部１９を更に備えることで、天板８０等の固定対象を上から設置しようとした場合に、カム受け部１３ｄが邪魔になることを防止することとしている。また、このような構成によれば、天板８０と構造物（パネル９０）との間に規制部１９が存在するため、隙間を小さくすることが出来る。なお、当然であるが、図８および図９を用いて説明した、カム部固定用のピン、樹脂フィルム等の弾性部材、および固定対象の位置合わせ手段は、図１０を用いて説明した固定装置１ｄにおいても、適宜採用されてよい（図示は省略する）。
【００５７】
図１１は、本実施形態に係る、バリエーションの固定装置１ｅの構成を示す側面図である。図１１に示された固定装置１ｅでは、第一部材１０ｅのカム受け部１３ｅが第二接触部２３ｅと第一接触部１５ｅとの間（即ち、本実施形態では、カム受け部１３ｅが天板８０よりも下）に位置している。このため、天板８０等の固定対象は、カム受け部１３ｅまたは第二固定部１２ｅによって位置決めされる。
【００５８】
また、固定装置１ｅでは、第一部材１０ｅのカム受け部１３ｅは、固定対象の天板８０よりも下に位置しているため、第二部材２０ｅにおけるブリッジ部２２ｅは、図１０までに示した固定装置のブリッジ部２２と異なり、カム部２１ｅと第二接触部２３ｅとを真っ
直ぐに繋ぐ形状を有している。このような形状のブリッジ部２２ｅによれば、固定対象が構造物に固定された状態において、カム受け部１３ｅおよびカム部２１ｅが固定対象の上に突出することなく、外観をシンプルにすることが出来る。なお、当然であるが、図８および図９を用いて説明した、カム部固定用のピン、樹脂フィルム等の弾性部材、および固定対象の位置合わせ手段は、図１１を用いて説明した固定装置１ｅにおいても、適宜採用されてよい（図示は省略する）。
【００５９】
図１２は、本実施形態に係る、バリエーションの固定装置１ｆの構成を示す側面図である。また、図１３は、本実施形態に係る固定装置１ｆにおいて用いられる、着脱可能な操作部（治具）４０の構成を示す図である。図１２および図１３に示された固定装置１ｆでは、操作部４０は、第二部材２０ｆのカム部２１ｆを回動させるための治具として着脱可能であり、このため、第二部材２０ｆには、治具が挿入される孔状または溝状の接続部２７が設けられている。なお、治具としては、接続部２７が孔状である場合には止めネジ等が用いられてもよいし、接続部２７が溝状である場合にはブックエンド等が用いられてもよい。接続部２７を、止めネジやブックエンド等の容易に入手可能なものを操作部４０として接続可能な形状とすることで、設置や除去の際の利便性を低下させずに、意図しない除去を防止することが出来る。
【００６０】
作業者は、接続部２７に操作部４０としての治具を挿入し、第二部材２０ｆの着脱および回動を行う。但し、第二部材２０ｆの設置に限っては、治具を用いずに行うことも可能である。作業者は、溝部に対する第一部材１０ｆの仮設置、および第一接触部１５ｆへの天板８０の載置を行った後、第二部材２０ｆの両端を持つ等してカム受け部１３ｆにカム部２１ｆを挿入し、第二接触部２３ｆの背面部分やブリッジ部２２ｆを押すことで、天板８０を構造物へ固定することが出来る。
【００６１】
但し、治具側に孔状または溝状の接続部２７が設けられ、第二部材２０ｆに、凸状の接続部２７が設けられることとしてもよい。また、当然であるが、図８および図９を用いて説明した、カム部固定用のピン、樹脂フィルム等の弾性部材、および固定対象の位置合わせ手段は、図１２および図１３を用いて説明した固定装置１ｆにおいても、適宜採用されてよい（図示は省略する）。
【００６２】
図１４は、本実施形態に係る、バリエーションの固定装置１ｇの構成を示す側面図である。図１４に示す第二部材２０ｇは、カム部２１ｇの一部に、カム部２１ｇの長径部分２９の長さに融通性を持たせるための空隙部４２を有する。空隙部４２は、図１４に示されているような、カム部２１ｇの幅方向に沿って設けられた溝状の空隙であってもよいし、カム部２１ｇの中心部をくりぬいて中空とするような形状の空隙であってもよい。
【００６３】
このような空隙部４２を有することで、カム部２１ｇの長径方向における弾性が高まるため、空隙部４２を備えない場合に比べて長径部分２９の長さを長くすることが出来る。即ち、固定装置１ｇでは、カム部２１ｇに空隙部４２を備えることによって、カム部２１ｇによる離間距離、固定状態における付勢の強さを調整し、補助的な材料（例えば、図９を用いて説明した樹脂フィルム６０等）を用いない場合であっても、十分な強度で固定対象を構造物に固定することを可能としている。なお、当然であるが、図８および図９を用いて説明した、カム部固定用のピン、樹脂フィルム等の弾性部材、および固定対象の位置合わせ手段は、図１４を用いて説明した固定装置１ｇにおいても、適宜採用されてよい。
【００６４】
図１５は、本実施形態に係る、バリエーションの固定装置１ｈの構成を示す側面図である。図１５に示された固定装置１ｈでは、第二部材２０ｈにおける操作部４０ｈは、図１４までに示した固定装置の操作部４０と異なり、固定状態において第一接触部１５方向に延びる形状を有している。このような操作部４０ｈを有することで、固定装置１ｈは、構
造物に、天板８０以外の固定対象（図示は省略する）を固定するために用いることが出来る。固定装置１ｈを用いて固定される固定対象の例としては、プロジェクタやディスプレイ等の電子機器を挙げることが出来る。なお、当然であるが、図８および図９を用いて説明した、カム部固定用のピン、樹脂フィルム等の弾性部材、および固定対象の位置合わせ手段は、図１５を用いて説明した固定装置１ｈにおいても、適宜採用されてよい。
【００６５】
なお、上記説明した固定装置１、１ｂ、１ｃ、１ｄ、１ｅ、１ｆ、１ｇ、１ｈは、例えばアルミニウムやスチール等の金属を用いて成型することが出来るが、金属に代えて、樹脂等その他の材料を用いて成型することとしてもよい。材料を樹脂等の金属に比べて弾性の高い材料とすることで、長径部分２９の長さを長くし、十分な強度で固定対象を構造物に固定することが出来る。また、固定装置１、１ｂ、１ｃ、１ｄ、１ｅ、１ｆ、１ｇ、１ｈは、金属パーツと樹脂パーツ等、複数種類の材料によって成型されたパーツの組み合わせによって製造されてもよい。
【符号の説明】
【００６６】
１、１ｂ、１ｃ、１ｄ、１ｅ、１ｆ、１ｇ、１ｈ  固定装置
１０  第一部材
１１  第一固定部
１２  第二固定部
１３  カム受け部
２０  第二部材
２１  カム部
２３  第二接触部
２６  乗り越え部
２７  接続部
３０  第三部材
３２  縁部
３３  被付勢面
４０  操作部
６０  樹脂フィルム
８０  天板
９０  パネル
【図１】
2013019508.tif 000003
【図２】
2013019508.tif 000004
【図３】
2013019508.tif 000005
【図４】
2013019508.tif 000006
【図５】
2013019508.tif 000007
【図６】
2013019508.tif 000008
【図７】
2013019508.tif 000009
【図８】
2013019508.tif 000010
【図９】
2013019508.tif 000011
【図１０】
2013019508.tif 000012
【図１１】
2013019508.tif 000013
【図１２】
2013019508.tif 000014
【図１３】
2013019508.tif 000015
【図１４】
2013019508.tif 000016
【図１５】
2013019508.tif 000017